(57)【要約】【課題】展示会の来訪者が希望する資料に関する情報を煩雑な動作なしで収集する。【解決手段】人体に電界を誘起することにより資料請求情報を配信する配信装置３を展示ブースに設置し、来訪者１００がその資料請求情報を受信する収集装置２を保持する。これにより、来訪者１００が展示ブースの通信電極３１（資料請求パネル）に接触するだけで、来訪者１００が所望する資料の資料請求情報を収集装置２に蓄積することができる。資料は、収集装置２に蓄積された資料請求情報に基づいて後日送付されるため、来訪者１００は、各展示ブースで資料を受け取る必要がなく、展示会場を移動する際の負担が軽減される。また、出展会社にとっては、展示ブースに大量の資料をストックしておく必要がなくなりスペースの効率が上がる。資料配付、アンケート回収のための専門要員の削減が可能となる。【選択図】図１
2009223408.tif 000002
【特許請求の範囲】
【請求項１】
展示物の展示ブースに設けられた配信装置と、来訪者が保持する収集装置とを備えた情報収集システムであって、
前記配信装置は、
前記展示物に関する資料を示す資料請求情報を予め格納した格納手段と、
電界通信用の第１の電極と、
前記格納手段から前記資料請求情報を読み出す読出手段と、
前記読出手段が読み出した資料請求情報に基づく電界を電界伝達媒体としての前記来訪者に対して前記第１の電極により誘起して送信する送信手段と、を有し、
前記収集装置は、
前記資料請求情報を記憶させる記憶手段と、
電界通信用の第２の電極と、
前記来訪者を介して伝達された前記資料請求情報を前記第２の電極を通じて受信し、前記記憶手段に記憶させる受信手段と、を有すること
を特徴とする情報収集システム。
【請求項２】
前記収集装置から前記資料請求情報を受信する回収装置をさらに有し、
前記収集装置は、
前記記憶手段から前記資料請求情報を読み出し、当該資料請求情報に基づく電界を前記第２の電極により誘起して送信する送信手段を有し、
前記回収装置は、
傾斜面に配置された電界通信用の第３の電極と、
前記収集装置が送信した前記資料請求情報を前記第３の電極を通じて受信する受信手段と、
受信した前記資料請求情報をサーバあるいは記憶装置に送信する出力手段と、を有すること
を特徴とする請求項１記載の情報収集システム。
【請求項３】
前記収集装置から前記資料請求情報を受信する回収装置と、資料サーバと、印刷装置と、をさらに有し、
前記収集装置は、
前記記憶手段から前記資料請求情報を読み出し、当該資料請求情報に基づく電界を前記第２の電極により誘起して送信する送信手段を有し、
前記回収装置は、
電界通信用の第４の電極と、
前記収集装置が送信した前記資料請求情報を前記第４の電極を通じて受信する受信手段と、
受信した前記資料請求情報を前記資料サーバに送信する出力手段と、を有し、
前記資料サーバは、
前記展示物に関する資料を印刷するための資料データを前記資料請求情報に関連付けて記憶した資料記憶手段と、
前記回収装置から受信した前記資料請求情報に対応する前記資料データを前記資料記憶手段から読み出し、前記印刷装置に印刷させる資料印刷手段と、を有すること
を特徴とする請求項１記載の情報収集システム。
【請求項４】
前記収集装置は、
前記来訪者を識別するＩＤ情報を記憶した記憶手段と、
前記記憶手段から前記ＩＤ情報を読み出し、当該ＩＤ情報に基づく電界を前記第２の電極により誘起して送信する送信手段と、を有し、
前記配信装置は、
前記収集装置が送信した前記ＩＤ情報を前記第１の電極を通じて受信する受信手段を有し、
前記読出手段は、前記ＩＤ情報に応じた前記資料請求情報を読み出すこと
を特徴とする請求項１乃至３のいずれかに記載の情報収集システム。
【発明の詳細な説明】
【技術分野】
【０００１】
本発明は、展示会場の来訪者に展示物の資料を配付するための情報を収集する技術に関する。
【背景技術】
【０００２】
従来、展示会場などの来訪者は、名刺を渡したり、アンケートに記入した後で展示物の資料を受け取っていた。
【０００３】
近年では、名刺の代わりに来訪者を特定するバーコードを読み取り、後で展示物の資料配信サーバのＵＲＬ（Uniform Resource Locator）を配信する技術が開示されている（特許文献１参照）。
【特許文献１】特開２００５−１１０７３号公報
【発明の開示】
【発明が解決しようとする課題】
【０００４】
展示会場で資料を受け取る際に、名刺を渡したり、アンケートに記入したりすることは煩雑である。バーコードを利用する場合でも、出展会社の係員にバーコードを提示して、バーコードを読み取ってもらう必要があり、煩わしいという問題がある。
【０００５】
また、各展示ブースで、その都度資料を受け取るため、多数の資料を持って会場内を回る必要があり、移動する際に負担となるという問題がある。
【０００６】
一方、特許文献１に記載の技術では、各展示ブースにおいて来訪者のバーコードを読み取るため、読み取った来訪者の情報を展示ブースからサーバに対して送信するためのネットワークが必要であり、簡単に設置することが難しいという問題がある。
【０００７】
本発明は、上記に鑑みてなされたものであり、その課題とするところは、展示会の来訪者が希望する資料に関する情報を煩雑な動作なしで収集することにある。
【０００８】
本発明の別の目的は、来訪者が各展示ブースで資料を受け取ることなく、展示会場内の移動の負担を軽減することにある。
【０００９】
本発明のさらに別の目的は、簡単に設置可能な情報収集システムを提供することにある。
【課題を解決するための手段】
【００１０】
本発明に係る情報収集システムは、展示物の展示ブースに設けられた配信装置と、来訪者が保持する収集装置とを備えた情報収集システムであって、配信装置は、展示物に関する資料請求情報を予め格納した格納手段と、電界通信用の第１の電極と、格納手段から資料請求情報を読み出す読出手段と、読出手段が読み出した資料請求情報に基づく電界を電界伝達媒体としての来訪者に対して第１の電極により誘起して送信する送信手段と、を有し、収集装置は、資料請求情報を記憶させる記憶手段と、電界通信用の第２の電極と、来訪者を介して伝達された資料請求情報を第２の電極を通じて受信し、記憶手段に記憶させる受信手段と、を有することを特徴とする。
【００１１】
本発明にあっては、各展示ブースに電界通信により資料請求情報を配信する配信装置を設置し、来訪者が電界通信により資料請求情報を収集する収集装置を保持することで、来訪者は、展示ブースに配置された配信装置の電極に接触するだけで、資料請求情報を煩雑な動作なしで収集することができる。
【００１２】
来訪者の関心がある展示物の資料請求情報は収集装置に蓄積されるので、展示ブースに配置する配信装置をネットワークに接続する必要がなくなり、配信装置を簡単に設置することが可能となる。
【００１３】
上記情報収集システムにおいて、収集装置を回収するためのスペースに設けられ、収集装置から資料請求情報を受信する回収装置をさらに有し、収集装置は、記憶手段から資料請求情報を読み出し、当該資料請求情報に基づく電界を第２の電極により誘起して送信する送信手段を有し、回収装置は、傾斜面に配置された電界通信用の第３の電極と、収集装置が送信した資料請求情報を第３の電極を通じて受信する受信手段と、を有することを特徴とする。
【００１４】
本発明にあっては、収集装置が蓄積した資料請求情報を回収する回収装置を備えることにより、展示会の主催者等は、回収した資料請求情報に基づいて、後日資料を来訪者に発送できるので、来訪者は各展示ブースで資料を受け取ることなく展示会場を見学することができる。展示会社も、展示ブースに大量の資料をストックする必要がなくなり、スペース効率が向上し、資料配付のための専門要員を削減することができる。
【００１５】
また、回収装置の電極を傾斜面に配置することにより、来訪者が収集装置をその傾斜面で滑らせるだけで、回収装置が資料請求情報を取得することができる。
【００１６】
さらに、来訪者の関心がある展示物の資料請求情報は収集装置に蓄積され、回収装置によりまとめて回収されるので、来訪者に関する情報の電子化などの手間のかかる作業が不要となる。
【００１７】
上記情報収集システムにおいて、資料を印刷するためのスペースに設けられ、収集装置から資料請求情報を受信する回収装置と、資料サーバと、印刷装置と、をさらに有し、収集装置は、記憶手段から資料請求情報を読み出し、当該資料請求情報に基づく電界を第２の電極により誘起して送信する送信手段を有し、回収装置は、電界通信用の第４の電極と、収集装置が送信した資料請求情報を第３の電極を通じて受信する受信手段と、受信した資料請求情報を資料サーバに送信する出力手段と、を有し、資料サーバは、展示物に関する資料データを予め記憶した資料記憶手段と、回収装置から受信した資料請求情報に対応する資料データを資料記憶手段から読み出し、印刷装置に印刷させる資料印刷手段と、を有することを特徴とする。
【００１８】
本発明にあっては、収集装置から資料請求情報を取得する回収装置と、資料データを予め蓄積した資料サーバと、印刷装置を有することにより、来訪者は、希望する資料を展示会場において印刷し入手することが可能となる。また、来訪者は、展示会場から帰る前に希望する資料をまとめて入手することができるので、多数の資料を持たずに展示会場を見学することができる。
【００１９】
上記情報収集システムにおいて、収集装置は、来訪者を識別するＩＤ情報に基づく電界を第２の電極により誘起して送信する送信手段を有し、配信装置は、第１の電極を通じてＩＤ情報を受信する受信手段を有し、読出手段は、ＩＤ情報に応じた資料請求情報を読み出すことを特徴とする。
【００２０】
本発明にあっては、配信装置が来訪者を識別するＩＤ情報を受信することにより、来訪者に応じた資料請求情報を送信することが可能となる。
【発明の効果】
【００２１】
本発明によれば、展示会の来訪者が希望する資料に関する情報を煩雑な動作なしで収集することができる。また、来訪者は、各展示ブースで資料を受け取ることがないので、展示会場内の移動の負担が軽減される。
【００２２】
本発明によれば、簡単に設置可能な情報収集システムを提供することができる。
【発明を実施するための最良の形態】
【００２３】
［第１の実施の形態］
以下、本発明の実施の形態について図面を用いて説明する。図１は、第１の実施の形態における情報収集システムを利用した展示ブースの構成を示す概略図である。
【００２４】
展示会場に訪れた来訪者１００は、展示会場の受付でネックストラップ付き名札を受け取り、名札を首にぶら下げて各展示ブースを回る。この名札には、来訪者１００の人体を介してデータの送受信を行う収集装置２が内蔵されている。
【００２５】
展示ブースには、通信電極３１を備えた配信装置３が配置される。配信装置３は、通信電極３１に接触した電界伝達媒体に対して、展示物に対応する資料請求情報に基づく電界を誘起することで資料請求情報を配信する。配信装置３が配信する資料請求情報は、来訪者１００が通信電極３１に触れることで電界伝達媒体である来訪者１００を伝達し、収集装置２に送信される。なお、資料請求情報とは、資料そのものではなく、展示物に関する資料を示す情報、例えば、展示物のカタログを示す情報や展示物の価格表を示す情報などである。
【００２６】
次に、情報収集システムにおける収集装置２と配信装置３の構成について具体的に説明する。図２は、収集装置２の構成を示すブロック図である。同図に示す収集装置２は、通信電極２１、電界検出部２２、信号処理回路２３、資料情報蓄積部２４、電界送信部２５およびＩＤ情報記憶部２６を備える。以下、各部の詳細について説明する。
【００２７】
通信電極２１は、電界伝達媒体である来訪者１００に誘起された電界を受信して電界検出部２２に供給する。また、送信時には、送信データに基づく電界を来訪者１００に誘起する。電界検出部２２は、通信電極２１が受信した電界を検出して電気信号に変換する。信号処理回路２３は、この電気信号に増幅、雑音除去などの信号処理を施して受信データに含まれる資料請求情報を取得し、資料請求情報を資料情報蓄積部２４に蓄積させる。
【００２８】
電界送信部２５は、ＩＤ情報記憶部２６から来訪者１００を識別するＩＤ情報を読み出し、このＩＤ情報を含んだ送信データを通信電極２１に供給し、来訪者１００に対して送信データに基づく電界を誘起する。また、電界送信部２５は、展示会場の出口で収集装置２が回収されるときに、資料情報蓄積部２４に記憶させた資料請求情報を読み出して送信する。収集装置２に蓄積された資料請求情報の回収については後述する。
【００２９】
このように、収集装置２は、収集装置２を保持する来訪者１００を電界伝達媒体として、来訪者１００を識別するＩＤ情報を送信するとともに、配信装置３が送信する資料請求情報を受信して資料情報蓄積部２４に蓄積する。
【００３０】
図３は、配信装置３の構成を示すブロック図である。同図に示す配信装置３は、通信電極３１、電界検出部３２、信号処理回路３３、資料情報読出部３４、電界送信部３５および資料情報記憶部３６を備える。以下、各部の詳細について説明する。
【００３１】
通信電極３１は、電界伝達媒体である来訪者１００に誘起された電界を受信して電界検出部３２に供給する。また、送信時には、送信データに基づく電界を来訪者１００に誘起する。通信電極３１は、来訪者１００が展示物に関する資料を希望する場合に接触するように、資料請求パネルとして展示ブースに配置される。
【００３２】
電界検出部３２は、通信電極３１が受信した電界を検出して電気信号に変換する。信号処理回路３３は、この電気信号に増幅、雑音除去などの信号処理を施してＩＤ情報を取得し、資料情報読出部３４に供給する。
【００３３】
資料情報読出部３４は、供給されたＩＤ情報に応じた資料請求情報を資料情報記憶部３６から読み出して電界送信部３５に供給する。
【００３４】
電界送信部３５は、資料請求情報を含んだ送信データを通信電極３１に供給し、来訪者１００に対して送信データに基づく電界を誘起する。
【００３５】
このように、配信装置３は、通信電極３１に接触した来訪者１００のＩＤ情報を受信し、そのＩＤ情報に応じた資料請求情報を来訪者１００を電界伝達媒体として送信する。
【００３６】
次に、展示会場の出口で収集装置２を回収する回収装置４について説明する。図４は、展示会場の出口に設置した名札回収コーナーの構成を示す概略図である。同図に示すように、名札回収コーナーには名札を返却する名札返却箱が配置される。名札返却箱内には回収装置４と、回収装置４の通信電極４１を備えたスロープ４５が配置される。
【００３７】
各展示ブースを見学し、帰途につく来訪者１００は、収集装置２を内蔵した名札を名札回収コーナーに配置された名札返却箱の投入口に投入する。来訪者１００が名札を名札返却箱に投入すると、名札は通信電極４１を備えたスロープ４５の傾斜面に沿って滑り落ちる。このとき名札に内蔵された収集装置２と回収装置４との間に通信路が確立し、回収装置４は、収集装置２からＩＤ情報および資料請求情報を受信する。展示会の主催者、展示会社は、回収装置４が受信したＩＤ情報、資料請求情報により、来訪者１００と、来訪者１００が所望する資料を把握し、後日、来訪者１００の登録情報に基づいて郵送や宅配などで資料を送付する。
【００３８】
次に、回収装置４の構成について具体的に説明する。図５は、回収装置４の構成を示すブロック図である。同図に示す回収装置４は、スロープ４５に配置された通信電極４１、電界検出部４２、信号処理回路４３およびＩ／Ｏ回路４４を備える。以下、各部の詳細について説明する。
【００３９】
通信電極４１は、通信電極４１上を滑り落ちる収集装置２が誘起した電界を受信し、電界検出部４２に供給する。
【００４０】
電界検出部４２は、通信電極４１が受信した電界を検出して電気信号に変換する。信号処理回路４３は、この電気信号に増幅、雑音除去などの信号処理を施してＩＤ情報、資料請求情報を取得し、Ｉ／Ｏ回路４４に供給する。Ｉ／Ｏ回路４４は、供給されたＩＤ情報、資料請求情報をサーバーや記憶装置などに送信する。
【００４１】
このように、名札返却箱内のスロープ４５上に通信電極４１を配置することで、来訪者１００が名札を返却したときに、その名札に内蔵された収集装置２から資料請求情報を取得することが可能となる。
【００４２】
次に、情報収集システムの具体的な処理の流れについて説明する。図６は、収集装置２が資料請求情報を収集する処理の流れを示すフローチャートである。
【００４３】
まず、来訪者１００が資料請求パネル（通信電極３１）に接触する（ステップ６０１）。これにより、来訪者１００の保持する収集装置２と展示ブースに配置された配信装置３との間には、来訪者１００を電界伝達媒体とした通信路が確立する。
【００４４】
続いて、配信装置３は、収集装置２から来訪者１００を介して送信されたＩＤ情報を受信する（ステップ６０２）。収集装置２は、ＩＤ情報に基づく電界を来訪者１００に所定の時間間隔で誘起している。配信装置３は、来訪者１００が通信電極３１に接触することで、収集装置２が来訪者１００に誘起したＩＤ情報に基づく電界を検出し、ＩＤ情報を受信する。
【００４５】
そして、配信装置３は、受信したＩＤ情報に応じた資料請求情報を収集装置２に対して送信する（ステップ６０３）。配信装置３は、受信したＩＤ情報を参照し、来訪者１００に応じた資料請求情報を読み出し、その資料請求情報に基づく電界を来訪者１００に誘起する。来訪者１００に応じた資料請求情報とは、例えば、来訪者１００が取引先のときには展示物の価格表を示す情報であり、来訪者１００が一般の人のときには展示物のカタログを示す情報である、というように、来訪者１００に知らせたい情報が記載された資料を示すものである。
【００４６】
そして、収集装置２は、資料請求情報を受信し、収集装置２の備える資料情報蓄積部２４に蓄積する（ステップ６０４）。このように、来訪者１００は各展示ブースに配置された資料請求パネルに接触するだけで、所望の資料を請求するための資料請求情報を収集することができる。
【００４７】
次に、収集装置２が蓄積した資料請求情報を展示会の主催者が取得する処理について説明する。図７は、回収装置４が収集装置２からＩＤ情報と資料請求情報を取得する流れを示すフローチャートである。
【００４８】
まず、来訪者１００が名札を名札返却箱に返却する（ステップ７０１）。各展示ブースを見学し、資料請求パネルに接触することで資料請求情報を収集装置２に蓄積した来訪者１００は、展示会場の出口で収集装置２を内蔵した名札を名札返却箱に返却する。
【００４９】
名札返却箱に返却された名札は、スロープ４５を滑り落ち、通信電極４１に接触する（ステップ７０２）。収集装置２を内蔵した名札がスロープ４５に配置された通信電極４１の上を滑り落ちるとき、収集装置２と回収装置４との間に通信路が確立する。
【００５０】
回収装置４は、名札に内蔵された収集装置２からＩＤ情報、資料請求情報を受信し、サーバーへ送信する（ステップ７０３）。回収装置４は、収集装置２が通信電極４１の上を滑り落ちるとき、収集装置２が通信電極２１に誘起した電界を回収装置４の通信電極４１により検出し、ＩＤ情報、資料請求情報を受信する。回収装置４は、受信したＩＤ情報、資料請求情報をサーバーへ送信する。このように、来訪者１００が名札を返却するだけで、回収装置４は、来訪者１００の所望する資料を示す資料請求情報を取得することができる。そして、展示会の主催者や展示会社は、取得したＩＤ情報、資料請求情報に基づいて資料を送付する。
【００５１】
したがって、本実施の形態によれば、人体に電界を誘起することにより資料請求情報を配信する配信装置３を展示ブースに設置し、来訪者１００がその資料請求情報を受信する収集装置２を保持することにより、来訪者１００が展示ブースの通信電極３１（資料請求パネル）に接触するだけで、来訪者１００が所望する資料の資料請求情報を収集装置２に蓄積することができる。資料は、収集装置２に蓄積された資料請求情報に基づいて後日送付されるため、来訪者１００は、各展示ブースで資料を受け取る必要がなく、展示会場を移動する際の負担が軽減される。
【００５２】
また、出展会社にとっては、展示ブースに大量の資料をストックしておく必要がなくなりスペースの効率が上がり、資料配付、アンケート回収のための専門要員の削減が可能となる。
【００５３】
本実施の形態によれば、資料請求情報は収集装置２に蓄積され、その収集装置２は出口で回収されるので、展示ブースに配置する配信装置３をネットワークに接続してデータを送信する必要がなく、簡単に配信装置３を設置することができる。
【００５４】
本実施の形態によれば、電界通信を行う回収装置４の通信電極４１を名札返却箱に設置されたスロープ４５に配置することにより、その収集装置２がスロープ４５に配置された通信電極４１上を滑り落ちる際に収集装置２と回収装置４との間で通信が可能となるので、利用者が名札返却箱に収集装置２を内蔵する名札を返却するだけで、収集装置２に蓄積された資料請求情報を受信することが可能となる。また、ＩＤ情報、資料請求情報の取得が名札の回収と同時に行われるので、来訪者１００の情報の電子化作業などの手間のかかる作業が不要となる。
【００５５】
［第２の実施の形態］
第２の実施の形態における情報収集システムは、来訪者１００が保持する収集装置２、展示ブースに配置される配信装置３の構成は、第１の実施の形態で説明したものと同様であるが、展示会場に設置された資料印刷コーナーで資料をまとめて印刷し受け取る点で異なる。以下では、第１の実施の形態と異なる点、つまり、収集装置２に蓄積した資料請求情報に基づいて資料を印刷する資料印刷コーナーについて説明する。
【００５６】
図８は、展示会場内に設置した資料印刷コーナーの構成を示す概略図である。同図に示すように、資料印刷コーナーには、回収装置８、通信電極８１、資料サーバ８２、ディスプレイ８３およびプリンタ８４が配置される。
【００５７】
来訪者１００が会場で資料を受け取りたい場合は、資料印刷コーナーの通信電極８１に接触する。通信電極８１は、資料の印刷を促す資料印刷パネルとして資料印刷コーナーに配置される。来訪者１００が通信電極８１に接触すると、来訪者１００が各展示ブースで収集した資料請求情報の一覧がディスプレイ８３に表示される。来訪者１００が印刷したい資料を選択すると、資料サーバ８２に蓄積された資料がプリンタ８４により印刷される。
【００５８】
回収装置８は、第１の実施の形態の回収装置４と同様の構成である。回収装置８は、収集装置２から通信電極８１を介してＩＤ情報、資料請求情報を取得し、資料サーバ８２に供給する。
【００５９】
資料サーバ８２は、供給された資料請求情報の一覧をディスプレイ８３に表示させるとともに、来訪者１００による資料の選択を受け付ける。資料サーバ８２は、来訪者１００が選択した資料をプリンタ８４に印刷させる資料印刷部と、資料の印刷に用いる資料データと資料請求情報とを関連付けて記憶した資料記憶部とを備える。
【００６０】
次に、資料印刷コーナーにおいて資料を印刷する流れを説明する。図９は、資料の印刷の流れを示すフローチャートである。
【００６１】
まず、来訪者１００が資料印刷パネルをタッチする（ステップ９０１）。各展示ブースを見学し、資料請求パネルに接触することで資料請求情報を収集装置２に蓄積した来訪者１００は、資料を印刷するために資料印刷コーナーに設置された資料印刷パネル（通信電極８１）に触れる。
【００６２】
回収装置８は、通信電極８１および来訪者１００を介して収集装置２からＩＤ情報、資料請求情報を受信し、資料サーバ８２に供給する（ステップ９０２）。来訪者１００が通信電極８１に接触することにより、収集装置２と回収装置８との間で来訪者１００を介した通信路が確立するので、回収装置８は、来訪者１００の保持する収集装置２からＩＤ情報、資料請求情報を受信し、資料サーバ８２に供給する。
【００６３】
資料サーバ８２は、資料請求情報の一覧をディスプレイ８３に表示する（ステップ９０３）。回収装置８から資料請求情報を取得した資料サーバ８２は、その一覧をディスプレイ８３に表示し、来訪者１００に対して印刷したい資料の選択を促す。
【００６４】
資料サーバ８２は、来訪者１００から印刷したい資料の選択を受け付け、選択された資料をプリンタ８４により印刷する（ステップ９０４）。資料サーバ８２は、来訪者１００により選択された資料請求情報に対応する資料を資料サーバ８２に接続したプリンタ８４により印刷する。
【００６５】
したがって、本実施の形態によれば、収集装置２から資料請求情報を取得する回収装置８を資料印刷コーナーに設置することにより、各展示ブースを見学し、資料請求情報を収集した来訪者１００が、資料印刷コーナーの資料印刷パネルに接触するだけで、所望の資料を印刷することができるので、多数の資料を持ちながら展示会場内を見学する必要がなくなる。また、各展示ブースに大量の資料をストックしておく必要がなく、資料配付のための専門要員の削減が可能となる。
【図面の簡単な説明】
【００６６】
【図１】第１の実施の形態における情報収集システムを利用した展示ブースを示す概略図である。
【図２】上記情報収集システムの収集装置の構成を示すブロック図である。
【図３】上記情報収集システムの配信装置の構成を示すブロック図である。
【図４】上記収集装置を回収する回収コーナーを示す概略図である。
【図５】上記回収コーナーに配置された回収装置の構成を示すブロック図である。
【図６】上記情報収集システムが資料請求情報を収集する流れを示すフローチャートである。
【図７】上記情報収集システムの回収装置が資料請求情報を回収する流れを示すフローチャートである。
【図８】第２の実施の形態における情報収集システムを利用した印刷コーナーを示す概略図である。
【図９】上記印刷コーナーにおいて資料を印刷する流れを示すフローチャートである。
【符号の説明】
【００６７】
２…収集装置
３…配信装置
４…回収装置
８…回収装置
２１…通信電極
２２…電界検出部
２３…信号処理回路
２４…資料情報蓄積部
２５…電界送信部
２６…ＩＤ情報記憶部
３１…通信電極
３２…電界検出部
３３…信号処理回路
３４…資料情報読出部
３５…電界送信部
３６…資料情報記憶部
４１…通信電極
４２…電界検出部
４３…信号処理回路
４４…Ｉ／Ｏ回路
４５…スロープ
８１…通信電極
８２…資料サーバ
８３…ディスプレイ
８４…プリンタ
１００…来訪者
【図１】
2009223408.tif 000003
【図２】
2009223408.tif 000004
【図３】
2009223408.tif 000005
【図４】
2009223408.tif 000006
【図５】
2009223408.tif 000007
【図６】
2009223408.tif 000008
【図７】
2009223408.tif 000009
【図８】
2009223408.tif 000010
【図９】
2009223408.tif 000011